(57)【要約】【課題】その目的とするところは、エプロンの上端部を、浴槽のフランジ部から垂下する垂下片と水返し片との間の隙間に挿入し易い浴室のエプロンの取付構造を提供する。【解決手段】エプロン１の上端部１１を、浴槽２のフランジ部２１の洗い場側の端部から下方に垂下する垂下片２２とフランジ部２１の前記垂下片２２と浴槽本体２０との間の下面から垂下する水返し片２３との間に形成される隙間２４に挿入し、エプロン１の下端部１２を、床パン３の洗い場部３１と浴槽設置部３２との間に形成される堰部４に取付けてなる浴室のエプロンの取付構造である。水返し片２３に、該水返し片２３から略下方に垂下するガイド部材６を設ける。【選択図】        図１
2011067443.tif 000002
【特許請求の範囲】
【請求項１】
エプロンの上端部を、浴槽のフランジ部の洗い場側の端部から下方に垂下する垂下片とフランジ部の前記垂下片と浴槽本体との間の下面から垂下する水返し片との間に形成される隙間に挿入し、エプロンの下端部を、床パンの洗い場部と浴槽設置部との間に形成される堰部に取付けてなる浴室のエプロンの取付構造であって、水返し片に、該水返し片から略下方に垂下するガイド部材を設けて成ることを特徴とする浴室のエプロンの取付構造。
【請求項２】
ガイド部材の洗い場側の面は、垂下片と対向して隙間を形成する部分に対して、その下方の部分を洗い場側に突出させることを特徴とする請求項１記載の浴室のエプロンの取付構造。
【発明の詳細な説明】
【技術分野】
【０００１】
本発明は、浴槽のフランジ部と床パンとの間に取付けられるエプロンの取付構造に関するものである。
【背景技術】
【０００２】
従来より、浴槽のフランジ部と床パンとの間にエプロンを取付けるものが知られている（例えば特許文献１参照）。図３にこの従来例の説明図を示す。
【０００３】
床パン３には、洗い場部と浴槽設置部との間に堰部４が形成してあり、浴槽２の洗い場側のフランジ部２１と堰部４との間に形成される開口に、エプロン１を着脱自在に取付けて開口を閉塞していた。
【０００４】
フランジ部２１には、洗い場側の端部から下方に垂下する垂下片２２が設けてあると共に、垂下片２２と浴槽本体との間の下面から水返し片２３が垂下してある。
【０００５】
エプロン１の下端部１２近傍の浴槽２側の部分には係止部５１が設けてあると共に、堰部４には洗い場側から浴槽２側に移動する係止部５１を係止する被係止部５２が設けてある。
【０００６】
エプロン１は、図３（ａ）に示すように洗い場側から上端部１１を垂下片２２と水返し片２３との間に形成される隙間２４に下方より挿入し、図３（ｂ）に示すように下端部１２を浴槽２側に回動させて係止部５１を堰部４の被係止部５２に係止させ、フランジ部２１と堰部４とに取付けるものである。
【０００７】
この時、作業者がエプロン１を手で持ち上げながらその上端部１１を垂下片２２と水返し片２３との間の隙間２４に挿入する必要があり、作業がし難いものであった。
【先行技術文献】
【特許文献】
【０００８】
【特許文献１】特開２００９−１７２３１０号公報
【発明の概要】
【発明が解決しようとする課題】
【０００９】
本発明は上記の従来の問題点に鑑みて発明したものであって、その目的とするところは、エプロンの上端部を、浴槽のフランジ部から垂下する垂下片と水返し片との間の隙間に挿入し易い浴室のエプロンの取付構造を提供することを課題とするものである。
【課題を解決するための手段】
【００１０】
上記課題を解決するために、本発明は、以下のような構成とする。
【００１１】
エプロン１の上端部１１を、浴槽２のフランジ部２１の洗い場側の端部から下方に垂下する垂下片２２とフランジ部２１の前記垂下片２２と浴槽本体２０との間の下面から垂下する水返し片２３との間に形成される隙間２４に挿入し、エプロン１の下端部１２を、床パン３の洗い場部３１と浴槽設置部３２との間に形成される堰部４に取付けてなる浴室のエプロンの取付構造である。水返し片２３に、該水返し片２３から略下方に垂下するガイド部材６を設けて成ることを特徴とする。
【００１２】
また、ガイド部材６の洗い場側の面６ａは、垂下片２２と対向して隙間２４を形成する部分に対して、その下方の部分を洗い場側に突出させることを特徴とする。
【発明の効果】
【００１３】
本発明は、エプロンの上端部をガイド部材に当接させて、ガイド部材に沿わせて上方に移動させるだけで、垂下片と水返し片との間の狭い隙間に挿入させることができて、上端部の隙間への挿入がし易くエプロンの取付け作業がし易くなる。
【００１４】
ガイド部材の洗い場側の面は、垂下片と対向して隙間を形成する部分に対して、その下方の部分を洗い場側に突出するため、エプロンの上端部をガイド部材に当接させる際の当たりがはやくなり、作業性が向上する。
【図面の簡単な説明】
【００１５】
【図１】本発明の浴室のエプロンの取付構造の一実施形態を示す概略側断面図である。
【図２】ガイド部材を示し、（ａ）は正面図であり、（ｂ）は平面図であり、（ｃ）は側面図である。
【図３】従来例を示し、（ａ）はエプロンを取付けた後の概略側断面図であり、（ｂ）はエプロンを取付ける前の概略側断面図である。
【発明を実施するための形態】
【００１６】
以下、本発明を添付図面に示す実施形態に基いて説明する。
【００１７】
床パン３は、図１に示すように、洗い場となる洗い場部３１と浴槽２が設置される部分となる浴槽設置部３２とに分かれており、洗い場部３１と浴槽設置部３２との境界部には堰部４が上方に向けて突設してある。図１に示す実施形態においては、床パン３は洗い場部３１と浴槽設置部３２と堰部４とが一体に形成してあるが、洗い場部３１と浴槽設置部３２とが別体で、堰部４が洗い場部３１又は浴槽設置部３２のいずれかに一体に形成してあり、堰部４部分で別体の洗い場部３１と浴槽設置部３２とを水密的に接続して床パン３が構成してあってもよい。
【００１８】
エプロン１は、浴槽２の洗い場側のフランジ部２１と堰部４との間に形成される開口に取付けられて、洗い場側から見て、浴槽２の洗い場側の側面を覆い隠す機能を果たしている。以下、エプロン１の取付けについて説明する。
【００１９】
フランジ部２１には、洗い場側の端部から下方に垂下する垂下片２２が設けてあると共に、垂下片２２と浴槽本体２０との間の下面から水返し片２３が垂下してあり、垂下片２２と水返し片２３との間に隙間２４が形成される。また、水返し片２３と浴槽本体２０との間に補強リブ２５が設けてあり、水返し片２３の下端が浴槽本体２０の離接方向に動いて水返し片２３の基端部にモーメントがかかって破損してしまうのを防止すべく、水返し片２３の下端が浴槽本体２０の離接方向に動かないように固定している。水返し片２３にはガイド部材６が設けられるもので、後述する。
【００２０】
エプロン１は、上端部１１が上記隙間２４に挿入されて固定され、下端部１２は堰部４に取付けられる。
【００２１】
エプロン１は、本実施形態では上端部１１が浴槽本体２０側に折り曲げられてその先端が水返し片２３の洗い場側の面との当接部となると共に、折り曲げられた上端部の上面に洗い場側に付勢されるバネ材からなる弾性材１１ａが設けてある。エプロン１の上端部１１は、隙間２４に挿入されて先端が水返し片２３の洗い場側の面に当接すると共に、弾性材１１ａが垂下片２２の浴槽本体２０側の面に弾接して、垂下片２２と水返し片２３とで挟持固定される。
【００２２】
エプロン１の下端部１２には、浴槽本体２０側に突出する係止部５１が設けてあると共に、堰部４には洗い場側に開口する略Ｃ字状をした被係止部５２が設けてある。エプロン１の下端部１２は、エプロン１の上端部１１を中心として洗い場側から浴槽本体２０側に向けて回動させ、係止部５１を洗い場側から被係止部５２に係止させて固定される。係止部５１は、先端と基端との間に膨大部が形成してあり、被係止部５２は、無負荷状態では略Ｃ字状の入口が膨大部よりも小さく内部が膨大部よりも大きく、被係止部５２の弾性により入口は拡大可能となっている。係止部５１の膨大部が被係止部５２の入口を押し広げながら内部に進入し、膨大部が入口から内部に入り込むと入口が復元力により縮小しようとして係止部５１を締め付ける。これにより、係止部５１の膨大部は簡単には被係止部５２から抜けず、エプロン１の抜止めがなされる。
【００２３】
なお、エプロン１の下端部１２の堰部４への取付けは、上述したような係止部５１及び被係止部５２による係合に限定されず、ビス止めやけんどん式の嵌込み等、他の方法であってもよい。
【００２４】
ガイド部材６は、図２に示すように略矩形箱状をしたピース状の部材で、水返し片２３に取付けられる。
【００２５】
ガイド部材６には、洗い場側の面から浴槽本体２０側に向けて螺設される固着孔６１が設けてあり、水返し片２３には、洗い場側の面から浴槽本体２０側の面にかけて貫通する固着具挿通孔が穿設してあり、ボルトやビスからなる固着具７を洗い場側から水返し片２３の固着具挿通孔に挿通させると共に、ガイド部材６の固着孔６１に螺着して、ガイド部材６が水返し片２３に固定される。固着孔６１は、洗い場側の端部に固着具７の頭部が収容される拡径部６１ａが形成されており、固着具７の頭部が拡径部６１ａに収容されてガイド部材６の洗い場側の面６ａから洗い場側に突出しないようになっている。
【００２６】
またガイド部材６には、上面に水返し片２３が挿通される挿通溝６２が所定の深さで浴槽本体２０の洗い場側の面の左右方向に沿って形成してあり、水返し片２３の下方より被嵌される。また本実施形態では、ガイド部材６の上面に補強リブ２５が挿通される補強リブ挿通溝６３が所定の深さで浴槽本体２０から洗い場にかけての方向に形成してあり、補強リブ２５の下方より被嵌される。
【００２７】
このガイド部材６が設けてあることで、作業者がエプロン１を手で持ち上げながらその上端部１１を垂下片２２と水返し片２３との間の隙間２４に挿入するにあたり、上端部１１をガイド部材６の洗い場側の面６ａに当接させて、ガイド部材６の洗い場側の面６ａに沿わせて上方に移動させるだけで、狭い隙間２４に上端部１１を挿入させることができて、上端部１１の隙間２４への挿入がし易くエプロン１の取付け作業がし易くなる。
【００２８】
また、ガイド部材６は、挿通溝６２よりも洗い場側の部分はなるべく薄く形成して、洗い場側の面６ａが水返し片２３の洗い場側の面よりも洗い場側に突出して隙間２４が侵食されるのを抑えている。洗い場側の面６ａの垂下片２２と対向して隙間２４を形成する部分に対して、その下方の部分は洗い場側に突出しており、その中間が傾斜面６４となっている。このように下方の部分が洗い場側に突出することで、上端部１１をガイド部材６の洗い場側の面６ａに当接させる際の当たりがはやくなり、作業性が向上する。
【符号の説明】
【００２９】
１    エプロン
１１  上端部
１２  下端部
２    浴槽
２０  浴槽本体
２１  フランジ部
２２  垂下片
２３  水返し片
２４  隙間
３    床パン
３１  洗い場部
３２  浴槽設置部
４    堰部
５１  係止部
５２  被係止部
６    ガイド部材
６ａ  洗い場側の面
６１  固着孔
６１ａ  拡径部
６２  挿通溝
６３  補強リブ挿通溝
７    固着具
【図１】
2011067443.tif 000003
【図２】
2011067443.tif 000004
【図３】
2011067443.tif 000005